【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
所定の発射手段により発射され遊技領域に案内された遊技球のうち所定箇所を通過する遊技球を検出可能な検出手段と、
前記検出手段からの検出信号の入力を契機にして当落抽選処理を行う抽選手段と、
所定の変動表示を行った後、前記当落抽選の抽選結果に基づいた所定態様の停止表示を行うとともに、少なくとも前記当落抽選の抽選結果が当たりである場合には当該当たりに基づいた特定態様の当たり停止表示を所定期間行う表示手段と、
前記遊技領域において、遊技球が入球可能又は入球容易な開状態と、遊技球が入球不能又は入球困難な閉状態とに切換り可能に構成され、前記表示手段にて前記当たり停止表示がなされた場合に、所定期間、前記開状態となる可変入球手段とからなる組合せを複数組備えるとともに、
少なくとも前記複数の表示手段に関する複数の表示制御処理及び複数の可変入球手段に関する複数の可変制御処理を含む一連の処理を、所定周期で繰り返す定期処理として実行する定期処理実行手段を備えた遊技機において、
前記定期処理実行手段は、
前記各表示制御処理においては、
前記当落抽選の抽選結果に基づいた変動表示を実行する場合に当該変動表示の変動時間を規定変動時間とする表示時間計測手段を前記定期処理毎に進行可能な表示時間計測手段進行処理と、
少なくとも前記当落抽選の抽選結果が当たりである場合において、当該抽選結果に基づいた変動表示が終了した後の前記当たり停止表示を規定停止時間とする停止時間計測手段を前記定期処理毎に進行可能な停止時間計測手段進行処理と、
前記停止時間計測手段が前記規定停止時間に相当する分進んだ場合に、当該表示制御処理によって制御する表示手段に対応する可変入球手段を開状態とすることを示す可変フラグを設定可能な可変フラグ設定処理とを実行可能に構成され、
前記各可変制御処理においては、
前記可変入球手段の開放時間が規定開放時間に達した場合、又は、前記可変入球手段へ入球した遊技球の個数が規定個数に達した場合に、前記可変フラグの設定解除を実行可能な可変フラグ解除処理を実行可能に構成され、
さらに前記定期処理において、
前記複数の可変入球手段のうちの少なくとも１つに関する前記可変フラグが既に設定中である又は一周期処理内において設定されるか否かを判別する可変フラグ設定判別処理と、
前記複数の表示手段のうちのいずれか１つに関する前記停止時間計測手段が既に設定中である又は一周期処理内において設定されるか否かを判別する停止時間計測手段設定判別処理と、
前記複数の可変入球手段のうちの少なくとも１つに関する前記可変フラグが既に設定中である若しくは一周期処理内において設定される旨の判別結果が得られた場合には、前記すべての表示手段に関する表示制御処理それぞれにおいて、又は、前記複数の表示手段のうちのいずれか１つに関する前記停止時間計測手段が既に設定中である若しくは一周期処理内において設定される旨の判別結果が得られた場合には、当該表示手段を除く他の表示手段に関する表示制御処理それぞれにおいて、前記表示時間計測手段進行処理による前記表示時間計測手段の進行を一旦停止可能な表示時間計測手段停止処理とを実行可能としたことを特徴とする遊技機。
【請求項２】
所定の発射手段により発射され遊技領域に案内された遊技球のうち所定箇所を通過する遊技球を検出可能な検出手段と、
前記検出手段からの検出信号の入力を契機にして当落抽選処理を行う抽選手段と、
所定の変動表示を行った後、前記当落抽選の抽選結果に基づいた所定態様の停止表示を行うとともに、少なくとも前記当落抽選の抽選結果が当たりである場合には当該当たりに基づいた特定態様の当たり停止表示を所定期間行う表示手段と、
前記遊技領域において、遊技球が入球可能又は入球容易な開状態と、遊技球が入球不能又は入球困難な閉状態とに切換り可能に構成され、前記表示手段にて前記当たり停止表示がなされた場合に、所定期間、前記開状態となる可変入球手段とからなる組合せを複数組備えるとともに、
少なくとも前記複数の表示手段に関する複数の表示制御処理及び複数の可変入球手段に関する複数の可変制御処理を含む一連の処理を、所定周期で繰り返す定期処理として実行する定期処理実行手段を備えた遊技機において、
前記定期処理実行手段は、
前記各表示制御処理においては、
前記当落抽選の抽選結果に基づいた変動表示を実行する場合に当該変動表示の変動時間を規定変動時間とする表示時間計測手段を設定可能な表示時間計測手段設定処理と、
前記定期処理毎に前記表示時間計測手段を進行可能な表示時間計測手段進行処理と、
前記表示時間計測手段が前記規定変動時間に相当する分進んだか否かを判別可能な表示時間計測手段判別処理と、
前記表示時間計測手段判別処理によって前記表示時間計測手段が前記規定変動時間に相当する分進んだ旨の判別結果が得られた場合に、前記表示時間計測手段の設定解除を実行可能な表示時間計測手段解除処理と、
前記表示時間計測手段の設定時及び設定中において、前記表示手段において変動表示を行う変動表示設定を実行可能な変動表示設定処理と、
前記表示時間計測手段の解除時及び解除中において、前記表示手段において停止表示を行う停止表示設定を実行可能な停止表示設定処理と、
少なくとも前記当落抽選の抽選結果が当たりである場合において前記当たり停止表示を規定停止時間とする停止時間計測手段を設定する停止時間計測手段設定処理と、
前記定期処理毎に前記停止時間計測手段を進行可能な停止時間計測手段進行処理と、
前記停止時間計測手段が前記規定停止時間に相当する分進んだか否かを判別可能な停止時間計測手段判別処理と、
前記停止時間計測手段判別処理によって前記停止時間計測手段が前記規定停止時間に相当する分進んだ旨の判別結果が得られた場合に、前記停止時間計測手段の設定解除を実行可能な停止時間計測手段解除処理と、
前記停止時間計測手段解除処理とともに、当該表示制御処理によって制御する表示手段に対応する可変入球手段を開状態とすることを示す可変フラグを設定可能な可変フラグ設定処理と、
前記可変フラグの設定処理とともに、前記可変入球手段の開放時間を所定の開放時間とする可変時間計測手段を設定可能な可変時間計測手段設定処理とを実行可能に構成され、
前記各可変制御処理においては、
前記定期処理毎に前記可変時間計測手段を進行可能な可変時間計測手段進行処理と、
前記可変時間計測手段が前記開放時間に相当する分進んだか否かを判別可能な可変時間計測手段判別処理と、
前記可変入球手段へ入球した遊技球の個数が規定個数に達したか否かを判別可能な球数判別処理と、
前記可変時間計測手段判別処理によって前記可変時間計測手段が前記開放時間に相当する分進んだ旨の判別結果が得られた場合、又は、前記球数判別処理によって前記可変入球手段へ入球した遊技球の個数が前記規定個数に達した旨の判別結果が得られた場合に、前記可変フラグの設定解除を実行可能な可変フラグ解除処理と、
前記可変フラグ解除処理とともに、前記可変時間計測手段の設定解除を実行可能な可変時間計測手段解除処理とを実行可能に構成され、
さらに、前記定期処理内において、
前記各表示手段に対応して、前記変動表示設定処理又は前記停止表示設定処理によって設定された設定内容に基づいた制御信号を出力する複数の表示制御信号出力処理と、
前記各可変入球手段に対応して、前記可変フラグの設定中においては前記可変入球手段を前記開状態とする制御信号を出力し、前記可変フラグの解除中においては前記可変入球手段を前記閉状態とする制御信号を出力する複数の可変制御信号出力処理と、
前記複数の可変入球手段のうちの少なくとも１つに関する前記可変フラグが既に設定中である又は一周期処理内において設定されるか否かを判別する可変フラグ設定判別処理と、
前記複数の表示手段のうちのいずれか１つに関する前記停止時間計測手段が既に設定中である又は一周期処理内において設定されるか否かを判別する停止時間計測手段設定判別処理と、
前記複数の可変入球手段のうちの少なくとも１つに関する前記可変フラグが既に設定中である若しくは一周期処理内において設定される旨の判別結果が得られた場合には、前記すべての表示手段に関する表示制御処理それぞれにおいて、又は、前記複数の表示手段のうちのいずれか１つに関する前記停止時間計測手段が既に設定中である若しくは一周期処理内において設定される旨の判別結果が得られた場合には、当該表示手段を除く他の表示手段に関する表示制御処理それぞれにおいて、前記表示時間計測手段進行処理による前記表示時間計測手段の進行を一旦停止可能な表示時間計測手段停止処理とを実行可能としたことを特徴とする遊技機。
【請求項３】
前記可変フラグ設定判別処理は、
前記複数の可変入球手段のうちの少なくとも１つに関する前記可変フラグが既に設定中であるか否かを判別する可変フラグ設定中判別処理と、
前記複数の可変入球手段のうちの少なくとも１つに関する前記可変フラグが一周期処理内において設定されるか否かを判別する可変フラグ設定時判別処理とから構成され、
前記停止時間計測手段設定判別処理は、
前記複数の表示手段のうちのいずれか１つに関する前記停止時間計測手段が既に設定中であるか否かを判別する停止時間計測手段設定中判別処理と、
前記複数の表示手段のうちのいずれか１つに関する前記停止時間計測手段が一周期処理内において設定されるか否かを判別する停止時間計測手段設定時判別処理とから構成されていることを特徴とする請求項１又は２に記載の遊技機。
【請求項４】
少なくとも前記複数の表示制御処理を実行する前段階において、前記可変フラグ設定判別処理及び前記停止時間計測手段設定判別処理を実行し、
前記可変フラグ設定判別処理によって、前記複数の可変入球手段のうちの少なくとも１つに関する前記可変フラグが既に設定中である又は一周期処理内において設定される旨の判別結果が得られた場合には、前記表示時間計測手段の進行を中断するか否かを判別する中断フラグをすべての表示手段それぞれに対応して設定し、
前記停止時間計測手段設定判別処理によって、前記複数の表示手段のうちのいずれか１つに関する前記停止時間計測手段が既に設定中である又は一周期処理内において設定される旨の判別結果が得られた場合には、当該表示手段を除く他の表示手段それぞれに対応して前記中断フラグを設定し、
前記各表示制御処理では、当該処理にて制御する表示手段に対応する前記中断フラグの設定の有無を基に前記表示時間計測手段の進行を一旦停止するか否かを判別することを特徴とする請求項１乃至３のいずれかに記載の遊技機。